(57)【要約】【課題】比較的容易な処理により相互に適切に接続状態を確立可能な情報処理装置または画像形成装置を提供する。【解決手段】外部装置が無線で送信する装置特定情報を受信する受信部（無線通信部１１０）と、前記外部装置に対して所定の動作を行う動作要求を送信する送信部（無線通信部１１０）と、前記動作要求に基づく動作を検出する動作検出部（受光部１４０、振動センサ１５０、マイク１６０）と、前記動作の検出に基づいて前記外部装置との間で所定のデータの送受信を可能な状態にする制御部（１００）と、を備える情報処理装置（タブレット端末１０）を提供する。【選択図】  図１
2017182755.tif 000002
【特許請求の範囲】
【請求項１】
外部装置が無線で送信する装置特定情報を受信する受信部と、
前記外部装置に対して所定の動作を行う動作要求を送信する送信部と、
前記動作要求に基づく動作を検出する動作検出部と、
前記動作の検出に基づいて前記外部装置との間で所定のデータの送受信を可能な状態にする制御部と、を備える
情報処理装置。
【請求項２】
前記送信部は、前記外部装置の発光部に所定の動作をさせる動作要求を送信し、
前記動作検出部は、前記発光部が所定の動作をしたことを光学的に検出する
請求項１に記載の情報処理装置。
【請求項３】
前記動作検出部は、前記発光部が所定の点滅パターンで点滅したことを検出する
請求項２に記載の情報処理装置。
【請求項４】
前記発光部が、画像を表示する表示部である
請求項２または請求項３に記載の情報処理装置。
【請求項５】
前記外部装置と無線で通信する第２無線通信部をさらに備え、
前記受信部は、前記第２無線通信部と前記外部装置との通信に基づき前記装置特定情報の取得を開始する
請求項１乃至請求項４のいずれか１項に記載の情報処理装置。
【請求項６】
前記外部装置が、媒体に画像を形成する画像形成装置である
請求項１乃至請求項５のいずれか１項に記載の情報処理装置。
【請求項７】
前記制御部は、前記動作の検出に基づいて、前記外部装置に対して画像形成すべき画像データを送信する
請求項６に記載の情報処理装置。
【請求項８】
装置特定情報を送信する送信部と、
前記装置特定情報の受信に基づいて外部装置から送信された、所定の動作を要求する動作要求を受信する受信部と、
前記動作要求に基づき所定の動作を行う動作部と、
前記外部装置により前記所定の動作が検出された場合、前記外部装置との間で所定のデータの送受信を可能な状態にする制御部と、を備える
画像形成装置。
【請求項９】
前記動作部は、前記動作要求に基づいて所定の動作を行う発光部である
請求項８に記載の画像形成装置。
【請求項１０】
前記発光部は、前記動作要求に基づいて所定の点滅パターンで点滅する
請求項９に記載の情報処理装置。
【請求項１１】
前記発光部が、画像を表示する表示部である
請求項９または請求項１０に記載の画像形成装置。
【請求項１２】
前記外部装置から受信した画像データに基づいて媒体に画像を形成する画像形成部をさらに備える
請求項８乃至請求項１１に記載の画像形成装置。
【請求項１３】
前記制御部は、前記外部装置との間で所定のデータの送受信を可能な状態になった後、前記画像データを受信する
請求項１２に記載の画像形成装置。
【請求項１４】
前記外部装置と無線で通信する第２無線通信部をさらに備え、
前記発光部と前記第２無線通信部とが近接して配置されている
請求項９乃至請求項１１のいずれか１項に記載の画像形成装置。
【発明の詳細な説明】
【技術分野】
【０００１】
本発明の一態様は、情報処理装置及び画像形成装置に関する。
【背景技術】
【０００２】
タブレット端末などとプリンタとを直接無線接続して、タブレット端末から送信された写真や書類などの印刷を行うことがあるが、この場合のタブレット端末などとプリンタとの間の接続をダイレクト接続と呼ぶ。このようなダイレクト接続をするためには、タブレット端末などとプリンタとの間で、互いの接続情報を共有する必要がある。タブレット端末などとプリンタとがそれぞれ相手に接続情報を伝達する手段としては、ＮＦＣ（近接無線通信）などの無線通信、ユーザによる操作、またはＳＳＩＤ、ＭＡＣアドレス、及び電波強度などを用いる方法がある。また、特許文献１には、ネットワーク上の装置間の接続設定を簡略な操作で行う技術について開示されている。特許文献２には、複数のプリンタがネット上に存在する場合でも、相手先のプリンタを指定して無線通信を確立する技術について開示されている。
【先行技術文献】
【特許文献】
【０００３】
【特許文献１】特開２００９−２１２８１６号公報
【特許文献２】特開２００７−０４９２７１号公報
【発明の概要】
【発明が解決しようとする課題】
【０００４】
しかしながら、上記従来の技術では、タブレット端末及びプリンタがＮＦＣなどの機能を備えることが不可欠であった。また、ユーザによる操作を必要とする場合には、ユーザにとって煩雑な作業を強要することとなっていた。また、電波強度などを利用する場合には、必ずしも接続相手が最も強い電波強度を持たない場合があることが課題であった。さらに、特許文献１に記載の技術では、プリンタの表示部に表示された識別パターンをカメラで読み取るなどの処理が必要であり、識別パターンを読み取り可能な機能が不可欠であった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
外部装置が無線で送信する装置特定情報を受信する受信部（無線通信部１１０）と、
前記外部装置に対して所定の動作を行う動作要求を送信する送信部（無線通信部１１０）と、
前記動作要求に基づく動作を検出する動作検出部（受光部１４０、振動センサ１５０、マイク１６０）と、
前記動作の検出に基づいて前記外部装置との間で所定のデータの送受信を可能な状態にする制御部（１００）と、を備える
情報処理装置（タブレット端末１０）である。
【０００７】
上記の情報処理装置によれば、外部装置の動作の検出に基づいて所定の接続状態を確立させることが可能であるため、簡易な構成と操作により、接続状態を確立させることが可能となる。また、意図しない外部装置（接続対象機器）と接続されることを防止することができる。
【０００８】
本発明の第２の手段では、上記情報処理装置において、
前記送信部（無線通信部１１０）は、前記外部装置の発光部（発光部２４０、表示部２３０）に所定の動作をさせる動作要求を送信し、
前記動作検出部（受光部１４０）は、前記発光部が所定の動作をしたことを光学的に検出する。
【０００９】
上記の情報処理装置によれば、光学的手段を介した経路を利用して接続状態を確立することが可能となる。
【００１０】
本発明の第３の手段では、上記情報処理装置において、
前記動作検出部（受光部１４０）は、前記発光部（発光部２４０、表示部２３０）が所定の点滅パターンで点滅したことを検出する。
【００１１】
上記の情報処理装置によれば、点滅パターンの検出に基づいて接続状態を確立させているため、単純な方法で光学的手段を用いる場合と比較して、より適切な判定を行うことが可能となる。
【００１２】
本発明の第４の手段では、上記情報処理装置において、
前記発光部が、画像を表示する表示部（２３０）である。
【００１３】
上記の情報処理装置によれば、表示部（画像表示部）を発光部として機能させるため、表示部と別の発光部を備えることなく、光学的手段を利用した接続状態の確立が可能となる。
【００１４】
本発明の第５の手段では、上記情報処理装置において、
前記外部装置と無線で通信する第２無線通信部（近接無線通信部２２０）をさらに備え、
前記受信部（無線通信部２１０）は、前記第２無線通信部と前記外部装置との通信に基づき前記装置特定情報の取得を開始する。
【００１５】
上記の情報処理装置によれば、近接無線通信などの無線通信による通信を契機（トリガ）として装置特定情報の取得を開始することが可能となる。これにより、ユーザによるキー操作などを行うことなく、簡易な処理により接続状態の確立を開始することができる。
【００１６】
本発明の第６の手段では、上記情報処理装置において、
前記外部装置が、媒体に画像を形成する画像形成装置（プリンタ装置２０）である。
【００１７】
上記の情報処理装置によれば、画像形成装置（プリンタ装置）におけるダイレクト印刷のための接続状態の確立を簡易に実行可能な情報処理装置を構成することができる。
【００１８】
本発明の第７の手段では、上記情報処理装置において、
前記制御部（１００）は、前記動作の検出に基づいて、前記外部装置に対して画像形成すべき画像データを送信する。
【００１９】
上記の情報処理装置によれば、画像形成装置（プリンタ装置）におけるダイレクト印刷を簡易に実行可能な情報処理装置を構成することができる。
【００２０】
本発明の第８の手段は、
装置特定情報を送信する送信部（無線通信部２１０）と、
前記装置特定情報の受信に基づいて外部装置から送信された、所定の動作を要求する動作要求を受信する受信部（無線通信部２１０）と、
前記動作要求に基づき所定の動作を行う動作部（発光部２４０、表示部２３０、振動部２６０、音声出力部２７０）と、
前記外部装置により前記所定の動作が検出された場合、前記外部装置との間で所定のデータの送受信を可能な状態にする制御部（２００）と、を備える
画像形成装置（プリンタ装置２０）である。
【００２１】
上記構成の画像形成装置によれば、当該画像形成装置における所定の動作を外部装置が検出することで接続状態を確立させることが可能であるため、簡易な構成と操作により、外部装置と画像形成装置との接続状態を確立させることが可能となる。また、意図しない外部装置（接続対象機器）と接続されることを防止することができる。
【００２２】
本発明の第９の手段では、上記画像形成装置において、
前記動作部は、前記動作要求に基づいて所定の動作を行う発光部（２４０）である。
【００２３】
上記構成の画像形成装置によれば、光学的手段を介した経路を利用して接続状態を確立することが可能となる。
【００２４】
本発明の第１０の手段では、上記画像形成装置において、
前記発光部（２４０）は、前記動作要求に基づいて所定の点滅パターンで点滅する。
【００２５】
上記構成の画像形成装置によれば、点滅パターンの検出に基づいて接続状態を確立させているため、単に光学的手段を用いる場合と比較して、より適切な判定を行うことが可能となる。
【００２６】
本発明の第１１の手段では、上記画像形成装置において、
前記発光部が、画像を表示する表示部（表示部２３０）である。
【００２７】
上記構成の画像形成装置によれば、表示部（画像表示部）を発光部として機能させるため、表示部と別の発光部を備えることなく、光学的手段を利用した接続状態の確立が可能となる。
【００２８】
本発明の第１２の手段では、上記画像形成装置において、
前記外部装置から受信した画像データに基づいて媒体に画像を形成する画像形成部をさらに備える。
【００２９】
上記構成の画像形成装置によれば、当該画像形成装置におけるダイレクト印刷のための外部装置との間の接続状態の確立を簡易に実行可能にすることができる。
【００３０】
本発明の第１３の手段では、上記画像形成装置において、
前記制御部（２００）は、前記外部装置との間で所定のデータの送受信を可能な状態になった後、前記画像データを受信する。
【００３１】
上記構成の画像形成装置によれば、当該画像形成装置におけるダイレクト印刷を簡易に実行可能にすることができる。
【００３２】
本発明の第１４の手段では、上記画像形成装置において、
前記外部装置と無線で通信する第２無線通信部（近接無線通信部２２０）をさらに備え、
前記発光部（２４０）と前記第２無線通信部（近接無線通信部２２０）とが近接して配置されている。
【００３３】
上記構成の画像形成装置によれば、接続対象の外部装置が、近接無線通信などの通信を行いながら、発光部による発光を検知することが可能となる。
【図面の簡単な説明】
【００３４】
【図１】タブレット端末とプリンタ装置との構成例を示す図。
【図２】タブレット端末とプリンタ装置との接続状態を示す図。
【図３】タブレット端末とプリンタ装置との接続状態を示す図。
【図４】タブレット端末における接続処理を示すフローチャート。
【図５】プリンタ装置における接続処理を示すフローチャート。
【図６】実施形態２におけるタブレット端末とプリンタ装置との構成例を示す図。
【図７】実施形態３におけるタブレット端末とプリンタ装置との構成例を示す図。
【発明を実施するための形態】
【００３５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）タブレット端末及びプリンタ装置の構成例
（２）動作例
２．実施形態２
３．実施形態３
４．補足事項
【００３６】
＜１．実施形態１＞
まず、本発明の実施形態１について、図１〜図５を参照しながら説明する。本実施形態のタブレット端末及びプリンタ装置は、発光部２４０と受光部１４０との間の光学的経路を利用した認証により、タブレット端末とプリンタ装置とを本接続にすることを特徴のひとつとしている。これにより、タブレット端末とプリンタ装置とによるダイレクト印刷を容易にしている。以下、タブレット端末及びプリンタ装置の構成及び動作について具体的に説明する。
【００３７】
＜（１）タブレット端末及びプリンタ装置の構成例＞
図１は、本実施形態のタブレット端末及びプリンタ装置の構成例を示す図である。本実施形態のタブレット端末は、プリンタ装置と本接続されることでプリンタ装置に対して画像データを送信し、これによりダイレクト印刷を実行することができる。
【００３８】
＜タブレット端末１０＞
タブレット端末１０は、制御部１００、無線通信部１１０、近接無線通信部１２０、表示部１３０、及び受光部１４０を含んで構成される。
【００３９】
＜無線通信部１１０＞
無線通信部１１０は、プリンタ装置２０の無線通信部２１０との間で無線ＬＡＮなどの無線によるデータの送受信を実行するよう構成される。無線通信部１１０は、受信部としてのデータの受信機能、及び送信部としてのデータの送信機能を備える。無線通信部１１０は、プリンタ装置２０により送信されるビーコンを受信して制御部１００に出力する。また、無線通信部１１０は、制御部１００の制御により、プリンタ装置２０に対して動作要求を送信する。また、無線通信部１１０は、制御部１００の制御により、プリンタ装置２０に対して印刷すべき画像のデータ及び印刷設定を送信する。
【００４０】
＜近接無線通信部１２０＞
近接無線通信部１２０は、無線通信対象機器の近接を検出し、この無線通信対象機器と通信することで無線でデータを送受信するよう構成される。特に本実施形態では、近接無線通信部１２０は、プリンタ装置２０の近接無線通信部２２０と近接したことを検出し、検出結果を制御部１００に出力する。近接無線通信部１２０は、ＮＦＣまたはＢｌｕｅｔｏｏｔｈなどの通信方式を利用してもよい。
【００４１】
＜表示部１３０＞
表示部１３０は、液晶表示装置（ＬＣＤ）または有機ＥＬ表示装置を含み、制御部１００の制御により、ユーザに視認可能な状態で画像を表示するよう構成される。表示部１３０は、ユーザによるタッチ操作を検出する機能を併せ持つタッチパネルなどであってもよい。
【００４２】
＜受光部１４０＞
受光部１４０は、光学センサを含んで構成され、光を検出し、検出結果を制御部１００に出力するよう構成される。特に本実施形態では、受光部１４０は、プリンタ装置２０における発光部２４０の発光状態を検出する。受光部１４０は、光を検出する機能を備えるカメラ（撮像装置）であってもよい。また、受光部１４０は、照度のみを検出可能なセンサであってもよい。
【００４３】
＜制御部１００＞
制御部１００は、所謂中央演算装置（ＣＰＵ）などであって、タブレット端末１０に含まれる各構成を制御するよう構成される。制御部１００による具体的な制御については後述するが、例えば以下のような制御を行う。
【００４４】
制御部１００は、無線通信部１１０が受信したビーコンに基づいて、プリンタ装置２０との限定的なデータの送受信が可能な仮接続状態を確立する。プリンタ装置２０との仮接続状態において、制御部１００は、プリンタ装置２０の発光部２４０を所定のタイミングで点滅させる動作を行うよう要求する動作要求を、無線通信部１１０からプリンタ装置２０に対して送信させる。そして、制御部１００は、受光部１４０によるプリンタ装置２０の発光部２４０の発光状態の検出結果に基づいて、プリンタ装置２０との間の接続状態を仮接続状態から本接続状態へと切り替える。本接続状態では、送受信データに制限が無く、タブレット端末１０は画像データなどをプリンタ装置２０に送信することができる。
【００４５】
＜プリンタ装置２０＞
プリンタ装置２０は、無線通信部２１０、近接無線通信部２２０、表示部２３０、発光部２４０、及び画像形成部２５０を含んで構成される。
【００４６】
＜無線通信部２１０＞
無線通信部２１０は、タブレット端末１０の無線通信部１１０との間で無線ＬＡＮなどの無線によるデータの送受信を実行するよう構成される。無線通信部２１０は、受信部としてのデータの受信機能、及び送信部としてのデータの送信機能を備える。無線通信部２１０は、プリンタ装置２０との無線接続を行うために必要となる端末固有情報（ＳＳＩＤまたはＭＡＣアドレスなど）を含むビーコンを無線で送信する。また、無線通信部２１０は、タブレット端末１０から無線で送信された動作要求を受信して制御部２００に出力する。また、無線通信部２１０は、タブレット端末１０から、印刷すべき画像のデータ及び印刷設定を受信して制御部２００に出力する。
【００４７】
＜近接無線通信部２２０＞
近接無線通信部２２０は、無線通信対象機器の近接を検出し、この無線通信対象機器と通信することで無線でデータを送受信するよう構成される。特に本実施形態では、近接無線通信部２２０は、タブレット端末１０の近接無線通信部１２０と近接したことを検出し、検出結果を制御部２００に出力する。
【００４８】
＜表示部２３０＞
表示部２３０は、液晶表示装置（ＬＣＤ）または有機ＥＬ表示装置を含み、制御部２００の制御により、ユーザに視認可能な状態で画像を表示するよう構成される。表示部２３０は、発光部２４０に代わって発光手段として用いられてもよい。
【００４９】
＜発光部２４０＞
発光部２４０は、ＬＥＤなどの発光素子を含んで構成され、制御部２００の制御により発行するよう構成される。特に本実施形態では、発光部２４０は、タブレット端末１０の受光部１４０に対して光を発する。
【００５０】
＜画像形成部２５０＞
画像形成部２５０は、制御部２００の制御により、画像データ及び印刷設定に基づいて、記録媒体である用紙などに画像を形成するよう構成される。画像形成部２５０は、媒体に対してインクを吐出することでインクによる像を形成するインクジェット方式の構成を備えてもよいし、媒体に対してトナーを転写させることでトナーによる像を形成するレーザー方式の構成を備えてもよいし、それ以外の方式による構成を備えてもよい。
【００５１】
＜制御部２００＞
制御部２００は、所謂中央演算装置（ＣＰＵ）などであって、プリンタ装置２０に含まれる各構成を制御するよう構成される。制御部２００による具体的な制御については後述するが、例えば以下のような制御を行う。
【００５２】
制御部２００は、定常的に、または近接無線通信部２２０がタブレット端末１０の近接を検出したときに、無線でビーコンを送信するよう無線通信部２１０を制御する。制御部２００は、このビーコンに基づいてタブレット端末１０が仮接続を要求してきたときに、限定的なデータの送受信が可能な仮接続状態を確立する。タブレット端末１０との仮接続状態において、タブレット端末１０から送信された動作要求を無線通信部２１０が受信すると、制御部２００は、この動作要求に基づいて所定の動作を行うよう各要素を制御する。例えば、動作要求が所定のタイミングで発光部２４０を点滅させる旨の要求であれば、制御部２００は発光部２４０を要求されたタイミングで点滅するよう制御する。そして、制御部２００は、タブレット端末１０からの本接続の要求に基づいて、タブレット端末１０との間の接続状態を仮接続状態から本接続状態へと切り替える。制御部２００は、本接続状態においてタブレット端末１０から画像データを受信し、この画像データに基づく媒体への画像形成を画像形成部２５０に指示する。
【００５３】
＜（２）動作例＞
次に、本実施形態のタブレット端末及びプリンタ装置における接続動作の具体例について、図２〜図５を参照しながら説明する。
【００５４】
図２は、タブレット端末１０とプリンタ装置２０との間で画像データの送受信が可能な本接続状態になる前の状態を示す図である。タブレット端末１０の周囲には、３台のプリンタ装置２０Ａ〜２０Ｃが配置されている。この状態において、プリンタ装置２０Ａ〜２０Ｃは、自己を特定して無線通信を行うためのビーコンを送信しており、タブレット端末１０はこのビーコンを受信可能な状態にある。
【００５５】
このとき、タブレット端末１０のユーザはプリンタ装置２０Ａで写真などの画像データを印刷したいと考えているが、周囲にはプリンタ装置２０Ａ以外のプリンタ装置２０Ｂ及び２０Ｃが存在する。プリンタ装置２０Ｂ及び２０Ｃは家庭内のプリンタ装置であるかもしれないが、家庭外の他の場所に配置されたプリンタ装置である可能性もある。ユーザは、タブレット端末１０とプリンタ装置２０Ａとを確実に無線接続したいが、必ずしもプリンタ装置２０Ａの電波強度が他のプリンタ装置２０Ｂ及び２０Ｃの電波強度より強いとは限らない。
【００５６】
このような場合であっても、タブレット端末１０のユーザは間違いなくプリンタ装置２０Ａに対して画像データを送信可能な接続状態（図３に示される本接続状態）を確立する必要がある。以下の動作例では、このような状況に対応可能な接続動作を考慮して説明する。
【００５７】
＜タブレット端末における接続処理＞
まず、タブレット端末１０における接続処理について説明する。図４は、タブレット端末１０における接続処理の具体例を示すフローチャートである。
【００５８】
＜Ｓ４００〜Ｓ４１０＞
まず、タブレット端末１０では、接続処理の開始を示唆する接続トリガの検出を待つ（Ｓ４００〜Ｓ４１０）。例えば、ユーザがタブレット端末１０の近接無線通信部１２０をプリンタ装置２０の近接無線通信部２２０に近づけると、制御部１００がタブレット端末１０とプリンタ装置２０とが近接したことを検出し、これが接続トリガとなって（Ｓ４１０でＹ）、以下の処理が進められることとなる。
【００５９】
＜Ｓ４２０＞
接続トリガが検出されると（Ｓ４１０でＹ）、タブレット端末１０の制御部１００は予め記憶されている接続アプリを起動する。この接続アプリは、プリンタ装置２０との無線接続の本接続を確立して、プリンタ装置２０での印刷を行うためのアプリケーションソフト（ソフトウェア）である。接続アプリは、タブレット端末１０が備えるメモリ（図示せず）に記憶される。
【００６０】
＜Ｓ４３０＞
次に、制御部１００は、接続アプリの処理により、周囲に無線で送信されているプリンタ装置２０のビーコンをサーチ（検索）し、このビーコンに含まれる端末固有情報（ＳＳＩＤ、またはＭＡＣアドレス）を取得する（Ｓ４３０）。なお、端末固有情報は、ＳＳＩＤやＭＡＣアドレスに限定されるものではなく、プリンタ装置２０を特定して、当該プリンタ装置２０との無線接続を可能にする情報であればよい。
【００６１】
＜Ｓ４４０＞
次に、制御部１００は、上記処理によって取得された端末固有情報に基づいて、タブレット端末１０と接続されて、ダイレクト印刷を実行可能な対応機器（プリンタ装置）があるか否かを確認する（Ｓ４４０）。対応機器が検出されなければ、制御部１００は接続処理を終了する。対応機器であるか否かの判定は、例えば、所定のキーワードを含む端末固有情報を持っているか否かなどの判定により行われてもよい。
【００６２】
＜Ｓ４５０＞
対応機器が検出されると（Ｓ４４０でＹ）、制御部１００は、電波強度の強い対応機器（プリンタ装置２０）から順に、無線通信の仮接続を行う（Ｓ４５０）。このとき、制御部１００は、無線通信部１１０からプリンタ装置２０に対して仮接続を確立するための要求を送信することで、プリンタ装置２０とタブレット端末１０とが仮接続状態となる。タブレット端末１０とプリンタ装置２０とが仮接続された仮接続状態では、互いに本接続のためのデータの送受信のみが可能となり、画像データなどのデータの送受信は行われない。
【００６３】
＜Ｓ４６０＞
次に、制御部１００は、プリンタ装置２０に対して、発光部２４０の点滅を開始する命令（動作要求）を送信する（Ｓ４６０）。なお、プリンタ装置２０において、表示部２３０が発光部２４０の機能を兼ねている場合には、この点滅開始命令（動作要求）は表示部２３０の点滅を開始する命令となる。
【００６４】
＜Ｓ４７０＞
次に、制御部１００は、プリンタ装置２０における発光部２４０の発光状態を、受光部１４０の受光結果に基づいて検出し、動作要求により要求したものと同一の発光状態が検出されたか否かによる認証を行う（Ｓ４７０）。より具体的には、制御部１００は、受光部１４０による受光に基づき、発光部２４０が所定のタイミングでの発光を行っているか否かの比較判定を行う。動作要求の内容としては、発光部２４０を所定の時間間隔で複数回点滅させる要求などである。ここでの認証に失敗した場合には（Ｓ４７０でＮ）、Ｓ４５０の処理に戻り、他の対応機器（プリンタ装置２０）との仮接続以降の処理を繰り返し行う（Ｓ４５０〜Ｓ４７０）。
【００６５】
＜Ｓ４８０＞
上記認証に成功した場合には（Ｓ４８０）、制御部１００は、タブレット端末１０とプリンタ装置２０との接続を、仮接続状態から本接続状態へと変化させる。より具体的には、制御部１００は、プリンタ装置２０に対して、本接続の確立を要求するよう無線通信部１１０を制御する。
【００６６】
＜Ｓ４９０＞
上記処理により、タブレット端末１０とプリンタ装置２０とが本接続状態になると、接続処理が終了する（Ｓ４９０）。タブレット端末１０とプリンタ装置２０とが本接続状態になると、タブレット端末１０はプリンタ装置２０に対して画像データ及び印刷設定を送信可能になり、ダイレクト印刷を実行可能な状態となる。タブレット端末１０は、このように本接続が確立した後に、続けてプリンタ装置２０に対して画像データを送信してもよい。このとき、制御部１００は、プリンタ装置２０に対して画像データを送信するよう、無線通信部１１０を制御する。
【００６７】
＜プリンタ装置における接続処理＞
次に、プリンタ装置２０における接続処理について説明する。図５は、プリンタ装置２０における接続処理の具体例を示すフローチャートである。
【００６８】
＜Ｓ５００〜Ｓ５１０＞
まず、プリンタ装置２０では、端末固有情報を含むビーコンを周囲に対して送信する（Ｓ５００〜Ｓ５１０）。なお、ビーコンは、近接無線通信部２２０によりタブレット端末１０の近接が検出されたことなどの接続トリガに基づいて送信が開始されてもよい。
【００６９】
＜Ｓ５２０〜Ｓ５３０＞
次に、プリンタ装置２０では、無線通信部２１０が仮接続の要求を受信したか否かを判定する（Ｓ５２０）。仮接続の要求を受信すると（Ｓ５２０でＹ）、制御部２００は、仮接続の要求を送信してきたタブレット端末１０との間で、無線接続の仮接続状態を確立する（Ｓ５３０）。
【００７０】
＜Ｓ５４０〜Ｓ５５０＞
次に、プリンタ装置２０の無線通信部２１０は、タブレット端末１０から送信される発光部の点滅開始命令（動作要求）を受信する（Ｓ５４０）。制御部２００は、受信した点滅開始命令（動作要求）に基づいて、発光部２４０を点滅させる（Ｓ５５０）。
【００７１】
＜Ｓ５６０〜Ｓ５７０＞
次に、制御部２００は、無線通信部２１０がタブレット端末１０からの本接続の要求を受信したか否かを判定する（Ｓ５６０）。一定時間経過しても本接続の要求を受信しない場合には（Ｓ５６０でＮ、Ｓ５７０でＹ）、プリンタ装置２０は接続処理を終了する（Ｓ５９０）。
【００７２】
＜Ｓ５８０＞
一方で、一定時間以内に、プリンタ装置２０がタブレット端末１０から送信された本接続の要求を受信した場合（Ｓ５６０でＹ）、制御部２００は、タブレット端末１０との間の本接続を確立させる（Ｓ５８０）。
【００７３】
＜Ｓ５９０＞
上記処理により、タブレット端末１０とプリンタ装置２０とが本接続状態になると、接続処理が終了する（Ｓ５９０）。タブレット端末１０とプリンタ装置２０とが本接続状態になると、プリンタ装置２０はタブレット端末１０から画像データ及び印刷設定を受信可能な状態になる。プリンタ装置２０の制御部２００は、本接続状態となっているタブレット端末１０から受信した画像データ及び印刷設定に基づいて記録媒体である用紙などに対して画像を形成するよう、画像形成部２５０に指示する。
【００７４】
上記構成のタブレット端末１０またはプリンタ装置２０によれば、比較的簡単な光学的なやり取りに基づいて適切な接続状態を確立させることが可能である。また、接続を確立しようとしているプリンタ装置２０以外では、発光部の発光が行われないので、意図しない接続が発生してしまうことを防止することができる。
【００７５】
また、上記構成のタブレット端末１０またはプリンタ装置２０によれば、単に発光状態の検出のみに基づく認証により接続状態を確立することができるため、比較的容易な処理による認証を実行可能となる。
【００７６】
また、上記構成のタブレット端末１０またはプリンタ装置２０によれば、発光部２４０の点滅パターンに基づく認証により接続状態を確立するため、より適切な判定に基づく接続状態の確立が可能となる。
【００７７】
なお、プリンタ装置２０においては、発光部２４０と近接無線通信部２２０とが近接した位置に配置されることが好ましい。より具体的には、発光部２４０と近接無線通信部２２０とは、タブレット端末１０との間で近接無線通信部２２０による無線通信を行いながら、そのままタブレット端末１０を動かすことなく、発光部２４０の発光をタブレット端末１０の受光部１４０が受光可能な位置に配置されることが好ましい。このような配置にすると、近接無線通信による無線通信を行いながら、プリンタ装置２０の発光部２４０の発光をタブレット端末１０の受光部１４０で検知することが可能となり、利便性を高めることができる。
【００７８】
＜２．実施形態２＞
次に、本発明の実施形態２について、図６を参照しながら説明する。本実施形態のタブレット端末及びプリンタ装置では、実施形態１のタブレット端末及びプリンタ装置と異なり、光学的手段による認証に代え、物理的振動による認証を行っている。そのため、本実施形態のタブレット端末及びプリンタ装置は、実施形態１のタブレット端末及びプリンタ装置と比較して構成が異なり、これにより処理も一部異なっている。以下、本実施形態１と比較した相違点を中心に説明する。
【００７９】
＜タブレット端末１０＞
タブレット端末１０は、制御部１００、無線通信部１１０、近接無線通信部１２０、表示部１３０、及び振動センサ１５０を含んで構成される。すなわち、実施形態１のタブレット端末１０と比較すると、受光部１４０が振動センサ１５０に置き換えられている。
【００８０】
＜振動センサ１５０＞
振動センサ１５０は、タブレット端末１０に与えられた物理的振動を検出するよう構成される。振動センサ１５０は、例えば角速度センサまたは加速度センサのようなセンサ（検出部）で構成される。振動センサ１５０は、検出された振動に関する情報を制御部１００に出力する。
【００８１】
＜プリンタ装置２０＞
プリンタ装置２０は、無線通信部２１０、近接無線通信部２２０、表示部２３０、画像形成部２５０、及び振動部２６０を含んで構成される。すなわち、実施形態１のプリンタ装置２０と比較すると、発光部２４０が振動部２６０に置き換えられている。
【００８２】
＜振動部２６０＞
振動部２６０は、小型モータなどの振動機構を含んで構成され、制御部２００の制御により動作することで振動するよう構成される。
【００８３】
＜動作＞
本実施形態のタブレット端末１０では、仮接続状態においてプリンタ装置２０に対して送信する動作要求が、振動部２６０を所定の態様で振動させることを要求する内容となっている。
【００８４】
すなわち、制御部１００は、プリンタ装置２０に対して、振動部２６０を所定の態様で振動することを要求する動作要求を送信する。より具体的には、この動作要求は、振動部２６０を所定回数断続的に振動させる要求などである。プリンタ装置２０の無線通信部２１０は、この動作要求を受信して制御部２００に出力する。制御部２００は、動作要求に基づいて振動部２６０を振動させる。
【００８５】
上記処理において振動した振動部２６０の振動を、タブレット端末１０の振動センサ１５０が検出し、制御部１００はこの振動の検出に基づいて認証を行う。認証に成功すると、制御部１００は、プリンタ装置２０に対して本接続の確立を要求する。これにより、タブレット端末１０とプリンタ装置２０との間で本接続が確立される。
【００８６】
上記構成のタブレット端末１０またはプリンタ装置２０によれば、比較的簡単な、振動と振動検出処理に基づいて接続状態を確立させることが可能である。また、接続を確立しようとしているプリンタ装置２０以外では、振動が行われないので、意図しない接続が発生してしまうことを防止することができる。
【００８７】
＜３．実施形態３＞
次に、本発明の実施形態３について、図７を参照しながら説明する。本実施形態のタブレット端末及びプリンタ装置では、実施形態１のタブレット端末及びプリンタ装置と異なり、光学的手段による認証に代え、音声による認証を行っている。そのため、本実施形態のタブレット端末及びプリンタ装置は、実施形態１のタブレット端末及びプリンタ装置と比較して構成が異なり、これにより処理も一部異なっている。以下、本実施形態１と比較した相違点を中心に説明する。
【００８８】
＜タブレット端末１０＞
タブレット端末１０は、制御部１００、無線通信部１１０、近接無線通信部１２０、表示部１３０、及びマイク（音声取得部）１６０を含んで構成される。すなわち、実施形態１のタブレット端末１０と比較すると、受光部１４０がマイク１６０に置き換えられている。
【００８９】
＜マイク１６０＞
マイク１６０は、周囲の音声を取得するよう構成される。特に本実施形態では、マイク１６０は、プリンタ装置２０の音声出力部２７０から出力された音声を取得して、取得した音声に関する情報を制御部１００に出力する。マイク１６０は、広い周波数帯域の音声を取得可能なものである必要はなく、認証に必要な周波数の音声のみを取得可能な機能を備えればよい。
【００９０】
＜プリンタ装置２０＞
プリンタ装置２０は、無線通信部２１０、近接無線通信部２２０、表示部２３０、画像形成部２５０、及び音声出力部２７０を含んで構成される。すなわち、実施形態１のプリンタ装置２０と比較すると、発光部２４０が音声出力部２７０に置き換えられている。
【００９１】
＜音声出力部２７０＞
音声出力部２７０は、所謂スピーカーであって、制御部２００の制御により音声を出力するよう構成される。
【００９２】
＜動作＞
本実施形態のタブレット端末１０では、仮接続状態においてプリンタ装置２０に対して送信する動作要求が、音声出力部２７０から所定の音声を出力させることを要求する内容となっている。
【００９３】
すなわち、制御部１００は、プリンタ装置２０に対して、音声出力部２７０から所定の音声を出力することを要求する動作要求を送信する。プリンタ装置の無線通信部２１０は、この動作要求を受信して制御部２００に出力する。制御部２００は、動作要求に基づいて音声出力部２７０から所定の音声を出力させる。
【００９４】
上記処理において音声出力部２７０から出力された音声を、タブレット端末１０のマイク１６０が取得し、制御部１００は取得された音声に基づく認証を行う。認証に成功すると、制御部１００は、プリンタ装置２０に対して本接続の確立を要求する。これにより、タブレット端末１０とプリンタ装置２０との間で本接続が確立される。
【００９５】
上記構成のタブレット端末１０またはプリンタ装置２０によれば、音声を利用した認証により接続状態を確立させることが可能である。また、接続を確立しようとしているプリンタ装置２０以外では所定の音声が出力されないので、意図しない接続が発生してしまうことを防止することができる。
【００９６】
＜４．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００９７】
上記各実施形態では、タブレット端末とプリンタ装置との接続を例に挙げて説明したが、これらの装置は他の装置に置き換え可能である。例えば、タブレット端末は、スマートフォンやＰＣ（Ｐｅｒｓｏｎａｌ  Ｃｏｍｐｕｔｅｒ）などの情報処理装置に置き換えられてもよい。
【００９８】
また、上記実施形態では、近接無線通信での通信を接続トリガとしていたが、これに限定されるものではなく、ユーザによる所定の操作を接続トリガとしてもよい。ただし、近接無線通信などの簡易な操作を接続トリガとする処理を行うことは、ユーザの利便性を高めるため好ましい。また、ユーザによる操作を接続トリガとする場合には、タブレット端末１０及びプリンタ装置２０は、それぞれユーザの操作を検出する操作検出部を備える構成となる。
【産業上の利用可能性】
【００９９】
本発明は、ダイレクト印刷を実行可能な情報処理装置と画像形成装置などに好適に適用される。
【符号の説明】
【０１００】
１０…タブレット端末
２０、２０Ａ、２０Ｂ、２０Ｃ…プリンタ装置
１００…制御部
１１０…無線通信部
１２０…近接無線通信部
１３０…表示部
１４０…受光部
１５０…振動センサ
１６０…マイク
２００…制御部
２１０…無線通信部
２２０…近接無線通信部
２３０…表示部
２４０…発光部
２５０…画像形成部
２６０…振動部
２７０…音声出力部
【図１】
2017182755.tif 000003
【図２】
2017182755.tif 000004
【図３】
2017182755.tif 000005
【図４】
2017182755.tif 000006
【図５】
2017182755.tif 000007
【図６】
2017182755.tif 000008
【図７】
2017182755.tif 000009